(57)【要約】【課題】  信号または電力の供給源を兼ねた支持具で繋がれ、見開きの位置で用いる従来の表示装置が、左右の面に独立に書き込むことができないという課題を解決する。【解決手段】  表示シート（１２）が電磁書き込み部である支持具（１３，１４）に取り付けられ見開きで置かれたときに、左に置かれた表示シート（１７）の孔のうち、一部の孔１５ａの周囲にコイルが設けられ、そのほかの孔１５ｂの周囲にはコイルが設けられていないようにし、かつ、このシートが右に置かれたときには、コイルが設けられた孔と設けられていない孔がそれぞれ左のシートのコイルが設けられていない孔とコイルが設けられている孔に相対するように設定される。支持具には、コイルのある孔を貫通する箇所に電磁書き込み手段が取り付けられる。両面に表示できる表示シートの場合は、裏面のコイルは表面にコイルが設けられていない孔に設けられる。【選択図】  図１
2010019905.tif 000002
【特許請求の範囲】
【請求項１】
表示シートと、該表示シートの一辺に設けられた複数の孔を貫通して該表示シートを支持する支持具と、該支持具に取り付けられた電磁書き込み手段とを有し、該電磁書き込み手段によって該表示シートに表示のための電力または信号が電磁的に供給される表示装置であって、
前記表示シートの表示部のある面に、前記複数の孔のうちの一部の孔の周囲を取り巻いてコイルが設けられ、該コイルの両端が該表示シートの表示部を駆動する駆動回路に接続され、
前記複数の孔のうちのコイルが設けられた孔は、前記表示シートを２枚、前記支持具を間にして、表示部を上に向けて見開きの位置に置いたときに、見開きの一方の側にある表示シートの前記コイルが設けられた孔と、他方の側にある表示シートの前記コイルが設けられていない孔とが前記支持具によって共通に貫通される位置にあり、
前記支持具には、前記コイルが設けられた孔を貫通する箇所に、前記電磁書き込み手段が取り付けられていることを特徴とする表示装置。
【請求項２】
前記表示シートが両面に表示部を有し、それぞれの面の前記コイルは互いに反対側の面にコイルが設けられていない孔の周囲に設けられていることを特徴とする請求項１に記載の表示装置。
【請求項３】
前記表示シートの前記コイルが設けられた孔は、２枚の表示シートを互いの上下を反転して見開きの位置に置いたときに、相対する表示シートの前記コイルが設けられていない孔と、前記支持具で共通に貫通される位置にあることを特徴とする請求項１または２に記載の表示装置。
【請求項４】
前記表示シートの対向する２辺に孔が設けられ、一方の辺の前記コイルが設けられた孔は、２枚の表示シートが互いを平行移動した配置で見開きの位置に置かれたときに、相対する表示シートの他方の辺の前記コイルが設けられていない孔と、前記支持具で共通に貫通される位置にあることを特徴とする請求項１または２に記載の表示装置。
【請求項５】
前記表示シートの同じ面に配置された一方の辺のコイルと他方の辺のコイルが、同じ表示部を駆動する駆動回路に共通に接続されていることを特徴とする請求項４に記載の表示装置。
【請求項６】
前記表示シートの表示部は、前記電磁書き込み手段が電力または信号を供給しない期間表示内容を保持することを特徴とする請求項１ないし５のいずれか１項に記載の表示装置。
【請求項７】
表示シートを支持するための支持具と、該支持具に取り付けられ、前記２枚の表示シートに電力または信号を電磁的に供給する電磁書き込み手段とを有する書き込み装置であって、
前記支持具は、１辺に複数の孔が開けられた２枚の表示シートを、それぞれの表示部を上にし、孔の開けられた辺を対向させて見開きの位置に置き、該２枚の表示シートの相対する孔を共通に貫通して該２枚の表示シートを支持する部材であり、
前記電磁書き込み手段は、前記支持具の、前記２枚の表示シートの孔を貫通する２箇所のうちのいずれかに取り付けられていることを特徴とする書き込み装置。
【請求項８】
前記２箇所のうちの一方に設けられた電磁書き込み手段が、前記見開きの位置に置かれた２枚の表示シートの一方に電力または信号を送り、他方に設けられた電磁書き込み手段が、他方の表示シートに電力または信号を送ることを特徴とする請求項７に記載の書き込み装置。
【請求項９】
前記電磁書き込み手段が、前記支持具の内部に設けられた磁性体のコアとその周りに巻かれたコイルとを含む請求項７または８に記載の書き込み装置。
【請求項１０】
前記電磁書き込み手段が、前記支持具の、前記２枚の表示シートの孔を貫通する２箇所のうちの両方に取り付けられ、うち１箇所の電磁書き込み手段のみが、前記表示シートに電力または信号を供給することを特徴とする請求項７ないし９のいずれか１項に記載の書き込み装置。
【請求項１１】
表裏両面に表示部と、該表示部を駆動する駆動回路とをそれぞれ有する表示シートであって、該表示シートの表面に設けられ、該表示シートの辺に開けられた複数の孔のうちの一部の孔の周囲を取り巻き、かつ両端が表面の前記駆動回路に接続された第１のコイルと、該表示シートの裏面に設けられ、前記複数の孔のうち表面に前記第１のコイルが設けられていない孔の周囲を取り巻き、かつ両端が裏面の前記駆動回路に接続された第２のコイルとを有することを特徴とする表示シート。
【請求項１２】
前記両面に表示部を有する表示シートの表面のコイルと裏面のコイルとが前記表示シートの孔に交互に設けられていることを特徴とする請求項１１に記載の表示シート。
【請求項１３】
少なくとも表裏いずれか一方の面に、表示部と該表示部を駆動する駆動回路とを有する表示シートであって、前記表示部と駆動回路とが設けられた面に、該表示シートの辺に開けられた複数の孔のうちの一部の孔の周囲を取り巻き、かつ両端が前記駆動回路に接続されたコイルが設けられており、前記コイルが設けられた孔は、前記表示シートを２枚、前記孔が開けられた辺を対向して見開きの位置に置いたときに、対向する表示シートの前記コイルが設けられていない孔に相対する位置にあることを特徴とする表示シート。
【請求項１４】
前記表示シートが両面に表示部と駆動回路を有し、前記２枚の表示シートの見開き位置が、互いの表示シートを裏返した位置であることを特徴とする請求項１３に記載の表示シート。
【請求項１５】
前記２枚の表示シートの見開き位置が、互いの表示シートを上下反転した位置であることを特徴とする請求項１３または１４に記載の表示シート。
【請求項１６】
前記表示シートが対向する２辺に前記孔が開けられた表示装置であって、前記２枚の表示シートの見開き位置が、互いの表示シートを平行移動した位置であることを特徴とする請求項１３または１４に記載の表示シート。
【発明の詳細な説明】
【技術分野】
【０００１】
本発明は着脱可能な表示部を有する表示装置に関する。
【背景技術】
【０００２】
情報機器の発達に伴い、低消費電力且つ薄型の表示装置や電子ペーパのニーズが増しており、これらニーズに合わせた表示装置の研究、開発が盛んに行われている。表示された部分を軽量化し、用意に持ち運びを可能とするためには、書き込み部と表示部を着脱可能にすることが求められるが、その接触部分をいかに構成するかが問題となる。表示部を装着したときは、表示部と書き込み部とが確実に電気的に結合され、かつ取り外しが容易に行える構造が好ましい。その１つとして、通常の紙を綴じるバインダのように、表示部の１辺に孔をあけてリング状の支持具を通して固定し、リングの１箇所を開閉して表示部を着脱することが考えられる。特許文献１は、この構造で、コイルを巻きつけた磁性体をリング状の支持具とし、表示部には孔の周囲にコイルを設けて、両コイルの電磁的結合により書き込み部から表示部に電力もしくは信号を供給するものである。
【０００３】
図１１（ａ）は、従来の着脱可能な表示部を持つ表示装置を示す。
表示部５５を持つシート状の表示素子５２（以下表示シートという）は、１辺に孔５４が設けられており、その穴を通る支持具５３を介して書き込み装置５１に繋がっている。
【０００４】
図１２は、表示シート５２の孔５４のある部分の詳細を示す。（Ａ）はシートの正面図を、（Ｂ）は（Ａ）のＢＢ‘に沿った断面図である。
【０００５】
表示シート５２の孔５４の周りには、表示面側に導電性の受信コイル４０が設けられ、受信コイル４０は延長されて表示シート５２を駆動する回路（不図示）に接続されている。
【０００６】
図１１（ｂ）に支持具５３の詳細を示す。支持具５３は環状の軟磁性体５６で作られており、送信コイル５７がその周りに巻かれている。送信コイル５７の両端は書き込み装置５１内の回路（不図示）に接続されており、その回路から送信コイルに交流が供給されると、送信コイル５７と受信コイル４０の電磁結合によって書込み装置５１から表示素子５２への給電および書込みが行われる。
支持具５３は一部が開くようになっており、シート状の表示素子５１を取り外すことができる。
【特許文献１】特開２０００−２６７５９９号公報
【発明の開示】
【発明が解決しようとする課題】
【０００７】
しかしながら、上記表示装置を、支持具５３を挟んで左右に見開きの状態で２枚の表示シートを置き、同時に表示させる表示装置に拡張しようとすると、支持具５３がその２枚のシートを共通に貫通するので、左側のページだけを書き換えようとしても、右側の表示も書き換わってしまうという問題が生じる。さらに、両面に表示部のある両面表示可能な表示シート５２を設置すると、支持具５３が各表示シート５２を貫通しているため、上を向いた面だけでなく、その裏面も書き換えられてしまうという問題がある。
【０００８】
この問題は、各表示シート１２が、見開きの左右どちらにあるか、あるいは表裏どちらを上にして置かれているかを認識し、かつ、書き込み部から送られてくる信号が左右どちらの表示信号であるかを識別する機能を備えているならば、解決される。しかしそのような機能を各表示シートに持たせると、表示シートが非常に効果になり、紙同様の扱いができるという電子ペーパ本来の特徴を損ねることになる。
【０００９】
または、見開きの右の位置でのみ表示するシートと左の位置でのみ表示するシートの２種類の表示シートを用意してそれらを交互に配置し、支持具を左側表示専用と右側表示専用の２系統に分けることも考えられる。しかし、この場合も、２種類の表示シートを用意することと、それらが必ず交互に配置されなければならないという不便さがあり、取り外して自由にページを組替えることができるという電子ペーパの長所を損なうものである。
【００１０】
このように複数枚の表示部を重ねて支持具で固定した表示装置とし、そのうちの２枚を見開きで使うときには、左右のページが独立に書き込みができることと同時に、各表示部が両面表示の場合は裏を向いた面には書き込みが行われないようにすることが必要であるが、従来の表示装置ではいずれも困難であった。
【課題を解決するための手段】
【００１１】
本発明は、第１に、表示シートと、該表示シートの一辺に設けられた複数の孔を貫通して該表示シートを支持する支持具と、該支持具に取り付けられた電磁書き込み手段とを有し、該電磁書き込み手段によって該表示シートに表示のための電力または信号が電磁的に供給される表示装置であって、
前記表示シートの表示部のある面に、前記複数の孔のうちの一部の孔の周囲を取り巻いてコイルが設けられ、該コイルの両端が該表示シートの表示部を駆動する駆動回路に接続され、
前記複数の孔のうちのコイルが設けられた孔は、前記表示シートを２枚、前記支持具を間にして、表示部を上に向けて見開きの位置に置いたときに、見開きの一方の側にある表示シートの前記コイルが設けられた孔と、他方の側にある表示シートの前記コイルが設けられていない孔とが前記支持具によって共通に貫通される位置にあり、
前記支持具には、前記コイルが設けられた孔を貫通する箇所に、前記電磁書き込み手段が取り付けられていることを特徴とする。
【００１２】
本発明の第２は、表示シートを支持するための支持具と、該支持具に取り付けられ、前記２枚の表示シートに電力または信号を電磁的に供給する電磁書き込み手段とを有する書き込み装置であって、
前記支持具は、１辺に複数の孔が開けられた２枚の表示シートを、それぞれの表示部を上にし、孔の開けられた辺を対向させて見開きの位置に置き、該２枚の表示シートの相対する孔を共通に貫通して該２枚の表示シートを支持する部材であり、
前記電磁書き込み手段は、前記支持具の、前記２枚の表示シートの孔を貫通する２箇所のうちのいずれかに取り付けられていることを特徴とする。
【００１３】
本発明の第３は、表裏両面に表示部と、該表示部を駆動する駆動回路とをそれぞれ有する表示シートであって、該表示シートの表面に設けられ、該表示シートの辺に開けられた複数の孔のうちの一部の孔の周囲を取り巻き、かつ両端が表面の前記駆動回路に接続された第１のコイルと、該表示シートの裏面に設けられ、前記複数の孔のうち表面に前記第１のコイルが設けられていない孔の周囲を取り巻き、かつ両端が裏面の前記駆動回路に接続された第２のコイルとを有することを特徴とする。
【００１４】
さらに本発明の第４は、少なくとも表裏いずれか一方の面に、表示部と該表示部を駆動する駆動回路とを有する表示シートであって、前記表示部と駆動回路とが設けられた面に、該表示シートの辺に開けられた複数の孔のうちの一部の孔の周囲を取り巻き、かつ両端が前記駆動回路に接続されたコイルが設けられており、前記コイルが設けられた孔は、前記表示シートを２枚、前記孔が開けられた辺を対向して見開きの位置に置いたときに、対向する表示シートの前記コイルが設けられていない孔に相対する位置にあることを特徴とする。
【発明の効果】
【００１５】
本発明によれば、表示シートが着脱可能な表示装置を見開きで使用する際に、表示装置に左右の識別機構を設けることなく、また左右２種類の専用表示シートを用意することなく、左右の表示シートにそれぞれ独立した画像を同時に書込むことが可能であり、また、表示シートを左右いずれの位置にも配置することが可能となる。
【発明を実施するための最良の形態】
【００１６】
（第１の実施形態）
図１に本発明の表示装置の第１の実施形態を示す。
【００１７】
図１は、書込み装置１１に複数枚のシート状表示素子（以下表示シートという）１２が装着され、見開きで表示されている状態を表している。
【００１８】
書込み装置１１は、筐体が表示装置全体を支持する支持台を兼ねており、内部に書き込みのための回路（不図示）が内蔵されている。書込み装置１１の中央には支持具１３、１４が１列に取り付けられている。支持具は第１の支持具１３と第２の支持具１４の２種類があって、図１では白と黒で区別してある。
【００１９】
支持具の断面構造を図２，３に示す。図２は、図１の第１の支持具１３に沿った断面図、図３は、図１の第２の支持具１４の断面図である。図１と同じ部分は同じ符号を付してある。これらの支持具は、環状、半円形、Ｕ字型などの形状であって、表示シートを支持台上で動かないように支持する。図２、３ではＵ字型の支持具を示している。
【００２０】
支持具１３，１４は中空の構造になっており、書き込み部（支持台）１１と繋がる部分は、内部にコイル４１とそれが巻回された軟磁性体からなる磁心４２が固定台４４に固定して取り付けられている。
【００２１】
本発明においては、以下に説明するように表示シート１２にも別のコイルが設けられており、支持具内のコイル４１との電磁結合（本発明では電磁誘導作用を及ぼしあう結合をこう呼ぶ）により、書き込み装置１１から表示シート１２に信号あるいは電力が供給される。すなわち、書き込み装置を構成する支持具のコイル４１は１次コイル、表示シートに設けられたコイルは２次コイルである。
【００２２】
図２の第１の支持具１３では、１次コイル４１と磁心４２は、書き込み部に繋がる部分のうち左側に取り付けられている。図３の第２の支持具１４は、全く同じ構造で、ただし、１次コイル４１と磁心４２が、書き込み部１１に繋がる部分のうち右側に取り付けられている点が第１の支持具と異なる。
【００２３】
１次コイル４１と磁心４２は同軸の位置にあり、その軸は、書き込み部１１の面に垂直である。この部分に表示シート１２が来ると、支持具内部で、１次コイル４１と磁心４２が表示シートの孔を垂直に貫通するようになる。
【００２４】
１次コイル４１と磁心４２の長さは表示シートの厚さにほぼ等しく設定されており、電磁結合が最強になるように、表示シートの厚さの約１／２の高さの取り付け台４４の上にちょうど中央部が表示シートの２次コイル面に一致するように設置されている。
【００２５】
表示シートが見開かれているシート以外に何枚もあり、重なっているときは、支持台の高さは１次コイル４１と磁心４２が一番上のシートの孔の位置に来るように調節される。
【００２６】
なお、支持具１３、１４は、いずれも中央部４３が開閉できるようになっている。開閉のための機構は、通常の紙を綴じるバインダで用いられている周知の機構でよい。
【００２７】
以下、図１に戻って表示シート１２について説明する。
【００２８】
表示シート１２には、１辺に複数の孔１５ａ，１５ｂが空けられ、支持具が貫通している。孔の径は支持具の太さより若干大きく、表示シートが支持具に沿って左右にページをめくるように移動できるようになっている。
【００２９】
表示シート１２は何枚かが重ねられて１つの書き込み装置１１に取り付けられており、各表示シートの同じ位置にある孔が１つの支持具によって貫通されつながれている。表示シートのうちの２枚が支持具列の左右に表示面１７，１８を上にした状態（以下これを見開き状態という）で置かれたとき、それぞれに画像が表示される。表示シート１２が両面に表示可能な場合は、どのページを開いても見開き表示となる。片面にしか表示できない表示シートの場合は、１枚おきに表と裏を反転しておき、２枚めくると次の見開き表示となるようにしておけばよい。
【００３０】
以下、表示シート１２が両面に表示部を持つ両面表示タイプの場合について説明する。
【００３１】
図４は、表示シート１２の孔１５ａ、１５ｂの部分の拡大図である。図４（Ａ）はシート面を真上から見た図、（Ｂ）は（Ａ）のＢＢ’に沿った断面図である。各孔には、シートの表１７と裏１８に交互に導電性の２次コイル４０ａ，４０ｂが孔を取り巻いて設けられている。
【００３２】
図５に表示シート内の回路と配線を示す。図５（Ａ）は表面、（Ｂ）は裏面の配置である。
【００３３】
表示シート１２は、表示部３０と、それを駆動する垂直側駆動回路３１、水平側駆動回路３２が配置され、２次コイル４０１−４０４と駆動回路３１，３２は配線３３，３４によって接続されている。２次コイルの各々は、垂直側駆動回路３１に電力を供給する２次コイル４０１、垂直側駆動回路３１に表示信号を供給する２次コイル４０２、水平側駆動回路３２に電力を供給する２次コイル４０３、水平側駆動回路３２に表示のための制御信号を供給する２次コイル４０４などである。
【００３４】
図５（Ａ）に示すとおり、表示シート表面１７の２次コイル４０１−４０４は、両端が表示シート表面に設けられた表側表示部の駆動回路３１，３２に接続されており、図５（Ｂ）に示すとおり、裏面１８の２次コイル４０１−４０４も、同様に表示シート裏面に設けられた裏面表示部駆動用の駆動回路３１，３２に接続されている。
【００３５】
裏面の駆動回路と表示部の配置は表面のそれとは左右が反転した配置になっている。同じ配置にすることもできるが、孔の位置が逆なので、コイルから駆動部までの配線の浮遊容量、浮遊インダクタンスをできるだけ等しくするには左右反転した対称配置が好ましい。
【００３６】
図４と図５に示すように、表面の２次コイル４０ａと裏面の２次コイル４０ｂは、１つおきに、互いに他方のコイルがない孔の周囲に配置されている。一方、図１に示したように、書き込み装置１１においては、第１と第２の支持具が１つおきに交互に並べられた並び方になっている。したがって、表示シート１２は、表面に２次コイル４０ａが設けられた孔を第１の支持具１３が通り、裏面に２次コイル４０ｂが設けられた孔を第２の支持具１４が通るように書き込み装置１１に取り付けられる。
【００３７】
このとき、図２に示すように、第１の支持具１３内に配置された電磁書き込み部（１次コイル４１と磁心４２を合わせてこう呼ぶ）は、見開き状態の左側に表面を上にして置かれた表示シート１２ａの２次コイル４０ａを貫通する。従って、第１の支持具１３は、左側の表示シート１２ａの表面１７ａに電力または電気信号を送ることができる。右側に裏面１８ｂを上にして置かれた表示シート１２ｂは、２次コイル４０ａの場所に電磁書き込み手段がないので、この支持具からの書き込みは行われない。
【００３８】
一方図３に示すように、孔１５ｂを貫通している第２の支持具１４は、電磁書き込み部（１次コイル４１と磁心４２）が右側に取り付けられている。従って見開きの右側にある表示シート１２ｂの裏面１８ｂ（上を向いている面）の２次コイル４０ｂが電磁書き込み部と電磁的に結合して書き込みが行われる。左側の表示シート１２ａは孔１５ｂの周囲に２次コイルがなく、書き込みは行われない。
【００３９】
このように、見開き状態にある２枚の表示シートのうち左側の表示シート１２ａには、第１の支持具内１３の電磁書き込み部を通じて書き込みを行い、右側の表示シート１２ｂには、第２の支持具１４内の電磁書き込み部を通じて書き込みを行うことができる。
【００４０】
左の表示部の画像信号は表示シートの右側にある電磁書き込み部から送られてくるのに対し、右の表示部では電磁書き込み部が左側に来るが、上で述べたように、駆動回路は表と裏では左右対称となるように配置することが好ましい。その場合、表示シートの左側と右側とに同じ画像を表示する場合は左右が反転した鏡面対象の画像を画像信号として送る。
【００４１】
支持具の全周にわたって１次コイル４１と磁心４２を延長した特許文献１の書き込み部構造では、左側の表示シートの表面に書き込みを行うと、同時に右側の表示シートの表面（下を向いている面）にも同じ内容が書き込まれてしまう。右側の表示シートに書き込みを行うときも同様である。複数枚の表示シートを備えるのは、見開いたページ以外の内容を保存しておくためであるから、これでは表示装置本来の機能が満足できない。
【００４２】
また、１つの孔の表裏両側に２次コイルを設けると、上を向いた面とその反対側の下を向いた面に（同じ内容が）書き込まれてしまうのでこれも不都合である。
【００４３】
本実施形態のように、支持具内の書き込み部を２つの位置に交互に設け、これに対応して表示シートの２次コイルを表裏交互に設けることにより、見開き状態にある２枚の表示シートに同時に、かつそれぞれの独立した内容を表示することができる。
【００４４】
以上説明したように、本発明の表示シート１２は、２次コイルの表裏の並び方と同じ並び方の電磁書き込み部を持つ書き込み装置に専属的に取りつけられる。２次コイルと支持具の電磁書き込み部との配置は常に対応付けられている。
【００４５】
しかし、上記の電磁書き込み部の配置は、実際に電磁書き込みを行う書き込み部の配置であって、それ以外の箇所に書き込み動作を行わない電磁書き込み部を設けておいてもよい。通常はこの方がいろいろな２次コイル配置の表示シートに対応できるので、好ましい形態である。すなわち、第１第２いずれの支持具にも電磁書き込み部を左右２ヶ所に設けておき、取り付けられた表示シートの２次コイルの配置に応じて、実際に交流を印加して電磁書き込み動作を行わせる書き込み部を選択できるようにすることが好ましい。
【００４６】
また、表と裏が同等の表示を行うには、表面の２次コイルが設けられた孔の数と裏面の２次コイルが設けられた孔の数とが等しいことが好ましい。しかし本発明は必ずしも同数の場合に限定されない。裏面の画素密度が表面より粗い両面表示も考えられ、その場合は表面の２次コイル孔の数は裏面の２次コイル孔の数より多くする。
【００４７】
以上、２次コイルが表裏交互に設けられた例で説明したが、その配置は必ずしも図１と図２のように１つずつ交互でなくてよい。別の配置としては、表示シートの１辺に設けられた複数個の孔のうち、上半分が表面にコイル４０を有し、下半分が裏面にコイル４１を有するものでもよい。その場合は、書き込み装置の支持具も、上半分が第１の支持具、下半分が第２の支持具になっている。
【００４８】
（第２の実施形態）
図６にこの発明の表示装置の第２の実施形態を示す。
【００４９】
書込み装置１１は第１の実施形態と同じ構造である。すなわち２種類の支持具１３、１４が交互に並べられ、奇数番目の位置にある第１の支持具１３は図２に示す断面構造を有し、偶数番目の位置にある第２の支持具１４は図３に示す断面構造を有している。これら支持具１３、１４は開閉が可能で、表示シートを任意に取り付け、また取り外すことができる。
【００５０】
表示シート１２の孔の部分を図７に示す。図４と共通の部分には同じ符号を付した。
【００５１】
表示シート１２には１辺に孔１５ａと１５ｂが交互に設けられている。孔は全部で偶数個あり、上から数えて奇数番目の孔１５ａには第１の実施形態における孔１５ａとおなじく、表面１７に２次コイル４０ａが設けられている。しかし、偶数番目の孔１５ｂは第１の実施形態とは異なり、いずれの面にも２次コイルは設けられていない。従って、本実施形態の表示シート１２は、奇数番目の孔１５ａにのみ設けられた２次コイル４０ａを通して表面１７の書き込みが行われる。
【００５２】
表示シート１２は、片面（表面）１７にしか表示部が設けられていないが、見開き状態で表示できるように、左側には本来の位置で置かれ、右側には、左の表示シートの天地を入れ替えて右側に持ってきて配置される。この配置を図６では「Ｒ」の文字で表してある。この配置に置くと、左側の表示シート１２ａは、２次コイルのある孔１５ａが第１の支持具１３を通り、２次コイルのない孔１５ｂが第２の支持具を通る。一方、右側の表示シート１２ｂは、２次コイルのある孔１５ａが第２の支持具１４を通り、２次コイルのない孔１５ｂが第１の支持具を通るようになる。
【００５３】
従って、第１の支持具１３は、書込み装置１１の上で、見開きの左側に置かれた表示素子１２ａに給電あるいは書込みを行い、第２の支持具１４は、見開きの右側に上下を反転して置かれた表示素子１２ｂに給電あるいは書込みを行う。上下を反転させたページを交互に重ねるので、表示シートは２種類用意する必要はなく、すべて同じものでよい。ただし、表示シート内部の構造は上下が入れ替わっているので、例えばマトリクス駆動するときには一方の表示シートでは走査が下から上に向かうようになる。それに応じて画像信号も上下を反転させて送信する必要がある。
【００５４】
また、両面に表示部を持つ表示シートを、本実施例と同じように上下反転した見開き配置の表示装置に用いることもできる。そのばあいは、表に２次コイルのない孔１５ｂの裏面に２次コイルが設けられる。この場合は、図６の右側の表示シートをページをめくるように左に移すと、図６と同じ孔の配置が現れるから、同じ支持具の電磁書き込み部で書き込むことが出来、連続して見開きの表示ができる。
【００５５】
（第３の実施形態）
図８にこの発明の表示装置の第３の実施形態を示す。
【００５６】
書込み装置１１は第１および第２の実施形態と同じ構造である。すなわち２種類の支持具１３、１４が交互に並べられ、奇数番目の位置にある第１の支持具１３は図２に示す断面構造を有し、偶数番目の位置にある第２の支持具１４は図３に示す断面構造を有している。これら支持具１３、１４は開閉が可能で、表示シートを任意に取り付け、また取り外すことができる。
【００５７】
表示シート１２は、左右２辺にそれぞれ偶数個の孔１５，１６が並べて設けられている。以下、表面にのみ表示部があるとする。
【００５８】
孔の周囲の詳細を図９に示す。図９（Ａ）と（Ｂ）は左辺の孔とそのＢＢ’に沿った断面図、（Ｃ）と（Ｄ）は右辺の孔とそのＤＤ’に沿った断面図である。
【００５９】
図９（Ｃ）（Ｄ）に示すように、表示シートの右辺の孔１５ａ、１５ｂの並びは第２の実施例と同じである。すなわち、奇数番目の孔１５ａにのみ２次コイル４０ａが設けられ、偶数番目の孔１５ｂには表裏いずれの面にも２次コイルが設けられていない。
【００６０】
これに対して、図８（Ａ）（Ｂ）に示す表示シートの左辺にある孔１６ａ、１６ｂの並びは右辺と逆であって、偶数番目の孔１６ｂにのみ２次コイル４０ａが設けられ、奇数数番目の孔１６ａには表裏いずれの面にも２次コイルが設けられていない。
【００６１】
図１０に表示シート内の回路と配線を示す。図５と同じ部分には同じ符号を付す。
【００６２】
左右の対応する２次コイル４０ａは表示シート１２内で共通に１つの駆動回路３１または３２に接続されているので、表示シート１２は、左右いずれの辺からでも給電および表示信号を受けることが可能である。
【００６３】
見開きの状態で左側にある表示シート１２ａは、右辺の奇数番目の孔１５ａの周囲の２次コイル４０ａを介して、第１の支持具の電磁書き込み部（１次コイル４１と磁心４２）から給電および信号をうけ、右側にある表示シートは、左辺の偶数番目の孔１６ｂの周囲の２次コイル４０ａを介して、第２の支持具の電磁書き込み部から給電および信号をうける。このようにして、左右それぞれの面に同時に別々に書き込みを行うことができる。
【００６４】
左右両辺に孔を設けることにより、図８の「Ｒ」の文字で示すように、表示シート１２は上下を反転させずにそのままの位置で左と右に配置することができる。この結果、メモリ性のある表示シートの場合は、表示シート１２を書き込み装置１１から切離し、表示内容をそのままに保って見開きの左から右（またはその逆）に自由に移すことが可能になる。
【００６５】
両面に表示部のある表示シートの場合は、左辺と右辺でそれぞれ、表面に２次コイル４０ａのない孔の裏面に２次コイルが設けられる。その他の構造は表面と全く同じである。
【００６６】
本発明の表示装置に用いられる表示部は、電源または信号が送られていないときには表示内容を維持するいわゆるメモリ性を有するものが好ましく、電気泳動表示素子、液晶素子、等のメモリ性のある表示素子のいずれも利用可能である。しかし、取り外したときに表示内容が保持されない表示装置にも本発明が適用できることは言うまでもない。
【図面の簡単な説明】
【００６７】
【図１】本発明の第１の実施形態を表す図。
【図２】第１の支持具の構造を示す図。
【図３】第２の支持具の構造を示す図。
【図４】第１の実施形態の表示シートの詳細図。
【図５】第１の実施形態の表示シート内部の構成を示す図。
【図６】本発明の第２の実施形態を表す図。
【図７】第２の実施形態の表示シートの詳細図。
【図８】本発明の第３の実施形態を表す図。
【図９】第３の実施形態の表示シートの詳細図。
【図１０】第３の実施形態の表示シート内部の構成を示す図。
【図１１】従来の表示装置を表す図。
【図１２】従来の表示装置の表示シートの詳細図。
【符号の説明】
【００６８】
１１  書込み装置
１２  表示シート
１３、１４  支持具
１５，１６  孔
１７  表示シート表面
１８  表示シート裏面
４０  ２次コイル
４１  １次コイル
４２  磁心
【図１】
2010019905.tif 000003
【図２】
2010019905.tif 000004
【図３】
2010019905.tif 000005
【図４】
2010019905.tif 000006
【図５】
2010019905.tif 000007
【図６】
2010019905.tif 000008
【図７】
2010019905.tif 000009
【図８】
2010019905.tif 000010
【図９】
2010019905.tif 000011
【図１０】
2010019905.tif 000012
【図１１】
2010019905.tif 000013
【図１２】
2010019905.tif 000014